(57)【要約】【課題】スイングハンマー底面と回転板との隙間に厨芥の破砕小片が噛み込まれて破砕能力が低下することを防止する。【構成】破砕室２の底部に回転板４を設け、この回転板４にスイングハンマー７をそなえたディスポーザーにおいて、前記スイングハンマー７がハンマー部７１と取付部７２で構成され、ハンマー部７１には、回転板４の回転方向Ａとは反対側の底面から外周に向けて切欠部７１１を設けて、ハンマー部７１と回転板４の隙間に入った厨芥の小片を噛み込む前に脱出させる。取付部７２は、円筒形にして下方に同径の延長部７２１を設け、この延長部７２１を回転板４の嵌合孔９に微小な間隙で回転可能に嵌合させ、取付ピン８で取り付けることにより、回転板４上の取付部７２との対向する隙間を無くしている。【選択図】        図１
2004243241.tif 000002
【特許請求の範囲】
【請求項１】
破砕室の底部に投入された厨芥を受ける回転板をそなえ、この回転板にスイングハンマーを設けたディスポーザーであって、前記スイングハンマーがハンマー部と取付部からなり、前記ハンマー部が、回転板の回転方向と反対側の底面を外周端まで切り欠いだ切欠部をそなえて回転方向側のハンマー部と回転板との対向面を小さくしており、取付部が、円筒形でハンマー部底面より下方に同径の延長部をそなえ、この延長部を回転板の嵌合孔に回転可能に嵌合させていることを特徴とするディスポーザー。
【請求項２】
前記嵌合孔の下端部に、取付ピンのかしめ部の外側に開口する切欠溝を設けている請求項１のディスポーザー。
【発明の詳細な説明】
【０００１】
【産業上の利用分野】
本発明は回転板にスイングハンマーをそなえたディスポーザーにおいて、スイングハンマーと回転板との間に厨芥が噛み込まないようにした構造に関する。
【０００２】
【従来の技術】
従来、シンクの排水口などに連結して水とともに厨芥を流し込むディスポーザーにおいては、厨芥の投入口に続く破砕室の底部に、厨芥を受ける回転板をそなえ、この回転板の周囲に回転刃を設けるとともに、回転板上の周縁部にハンマー（打撃刃）を設けて厨芥を砕くようにしており、このハンマーには、回転板周縁に固定した固定ハンマーと、図６に示すように、ハンマー６１の取付部６２の下面を回転板６３の上面に接触させて取付ピン６４で回動可能に取り付けたスイングハンマーとが用いられており、このようなスイングハンマーでは、ハンマー６１を回動可能に保つために、ハンマー６１と回転板６３の上面との間に隙間Ｇを設けてかしめナット６５で取り付けている。
【０００３】
【特許文献１】特開平５−２５４号や特開平５−３１３８９号などには、このようなスイングハンマーを取り付けたディスポーザーが示されており、このスイングハンマーは、ハンマー底面と回転板との間には図示されていないが、回動に必要な隙間が設けられている。また、特開２００２−２７３２５５号には、スイングハンマーと回転板との隙間が大きく示されている。
【特許文献２】特開２０００−５１７２９号には、ハンマーとケーシング内周の固定刃との間に、厨芥とくに鳥骨などの破砕された固形物小片が噛み込んで回転が阻害されることを防ぐために、ハンマーの回転板の回転方向と反対側に、底面から外周方向に向けて切欠部を設け、ハンマーの先端部と固定刃との対向面を小さくし、回転方向の側面を回転板に密着させて、ハンマーの基部側を固定させたものが示されている。
【０００４】
【発明が解決しようとする課題】
このように、従来のスイングハンマーは、ハンマーの底面全体が平坦で、回転板上に回動に必要な隙間を介して大きな対向面で取り付けられており、この対向面の隙間に鳥骨などの破砕された小片が入り込むと噛み込み状態を生じ易く、噛み込み状態になるとハンマーの回動が阻止されてスイングハンマーの機能が失われ、破砕処理能力を著しく低下させる欠点がある。
また、特開２０００−５１７２９号では、ハンマーの回転板の回転方向と反対側に外周まで切欠部を設けて、固定刃との噛み込みを防ぐようにしているが、回転板とは密着固定されており、スイングハンマーにおける回転板との対向面での噛み込みは考慮されておらない。しかし、スイングハンマーにこのような切欠部を設けて、スイングハンマーのハンマー部分の下面と、回転板との対向する隙間に入り込んだ固形物小片が脱出し易くして噛み込みを無くすようにしても、ハンマーの取付部は、ハンマーをスイングさせるために回転板との間に隙間があり、の隙間に厨芥の小片が入り込むと、この部分は対向する隙間が円周で連続しているため、固形物小片が脱出されないで噛み込み状態になり、スイングハンマーの回転が阻害され、回転板がアンバランスになって振動を生じるなどの問題があった。
【０００５】
【課題を解決するための手段】
本発明は、このような点にかんがみ、スイングハンマーにハンマー部と取付部をそなえ、前記ハンマー部に、回転板の回転方向と反対側の底面を外周端まで切り欠いだ切欠部を設け、ハンマー部の回転方向側部分と回転板との対向面を小さくしており、ハンマー底面と回転板との隙間に入り込んだ厨芥の破砕小片を抜け易くするとともに、取付部を円筒形にし、ハンマー部の底面より下方に突出させ前記取付部と同径の延長部をそなえ、この延長部を回転板の嵌合孔に回転可能に嵌合させ、回転板上面に取付部との隙間を生じないようにしている。
また、取付部の延長部を嵌合させた嵌合孔の下端部に、取付ピンのかしめ部の外側に開口する切欠溝を設けて、延長部と嵌合孔との隙間から入った水や微小粉を排出させる。
【０００６】
【実施の態様】
以下、図１ないし図４の実施例について説明する。
１はケーシング、２は破砕室、３はケーシング内周に設けた固定刃、４は外周に回転刃５をそなえた回転板、６は回転軸、７はスイングハンマーで、ハンマー部７１と取付部７２から形成されている。８は取付ピン、９は回転板４に設けた取付部７２の嵌合孔、１０は取付ピンのかしめ部で、図ではナットを用いて取付部７２が回動できる程度に調整してかしめている。１１は回転板下面に設けた取付プレート、１２は取付プレートに設けた取付孔、１３は取付孔１２の側面からかしめ部１０の外側まで延長した切欠溝である。
スイングハンマー７のハンマー部７１は、図３および図４に示すように回転板４の回転方向Ａと反対側に底面から外周に向けて切欠部７１１を設けて、回転板４との対向面７１２を小さくしている。また、取付部７２は、円筒形に形成しており、ハンマー部底面より下方に突出する同径の延長部７２１を設け、この延長部７２１を回転板４の嵌合孔９に嵌合させ、中央のピン孔７２と取付プレート１１の取付孔１２に取付ピン８を通してかしめ部１０で回動できるように取り付けている。
【０００７】
スイングハンマー７のハンマー部７１は、回転板４の回転方向Ａに対して反対側に切欠部７１１を設けることによって、厨芥に当たる回転方向の側面は、その底面と回転板４との対向面７１２が小さくなり、回転方向の幅が小さいため、この対向面７１２と回転板４との隙間に入った鳥骨などの厨芥の小片は、噛み込み状態になる前に切欠部７１１に脱出される。
また、取付部７２にはハンマー部７１の底面より下方に突出させた延長部７２１を設けており、回転板４の嵌合孔９にスイングに必要な縦方向の微小な間隙で挿入され、回転板４の上面には取付部７２と取付軸方向の隙間を有しない。このため、回転板４上の厨芥は取付部７２の外周に沿って流れ、流れの方向と直角な前記縦方向の微小な間隙内に入り込むことがなく通過する。
【０００８】
なお、取付プレート１１の取付孔１２から径方向に、かしめ部１０より外側に開口する取付孔より小さい幅の切欠溝１３を少なくとも１カ所に設けることにより、嵌合孔９の下端と取付プレート１１の下面を連通させ、嵌合部９と延長部７２１との微小間隙から入った水や微小な厨芥粉を取付プレート１１の下に排出させることができる。なお、切欠溝１３は、取付孔１２から複数個設けるようにしてもよい。
【０００９】
図５は、回転板４の厚さが大きい場合の別の実施例で、回転板４に嵌合孔９と取付孔１２を２段に設けて、取付プレート１１を省いており、嵌合孔９の下端からかしめ部１０の外側に切欠溝１３を少なくとも１個設けている。
【００１０】
【発明の効果】
このように本発明は、破砕室の底部に回転板をそなえ、この回転板にスイングハンマーを設けたディスポーザーにおいて、前記スイングハンマーがハンマー部と取付部をそなえ、ハンマー部に、回転板の回転方向とは反対側の底面から外周に向けて切欠部を設け、取付部は、円筒形にして、ハンマー部底面から回転板に回転可能に嵌合させる同径の延長部を設けているため、スイングハンマーの側面に当たって破砕された厨芥の小片が回転板とハンマー部との隙間に入っても、噛み込み状態になる前に切欠部７１１に脱出させるとともに、スイングハンマーの取付部は、回転板と延長部とは、厨芥が移動する回転板の面に対して直角方向に嵌合しており、回転板の上面に取付部と対向する隙間がなく、厨芥は回転板上を取付部の外周に沿って移動し、嵌合部の間隙に厨芥が入り込んでスイングハンマーの回動を阻害することがない。このため、破砕室内のスイングハンマーと回転板との間の厨芥の噛み込みを防ぎ、スイングハンマーの動作が円滑に保持され、良好な破砕処理を行わせることができる効果が得られる。
【００１１】
なお、回転板の嵌合孔とスイングハンマーの延長部との嵌合部の下端から、かしめ部の外側に開口する小幅の切欠溝を設けておけば、嵌合部の間隙に入った水や微細な厨芥粉を回転板の下面に排出させ、スイングハンマーの回転を円滑に保持させることができる。
【図面の簡単な説明】
【図１】本発明の実施例を示す要部の側断面図である。
【図２】図１の一部を示す下面図である。
【図３】本発明のスイングハンマーの例を示す下面図である。
【図４】図３のＸ−Ｘ線に沿う断面図である。
【図５】他の実施例を示す要部の側断面図である。
【図６】従来の例を示す要部の側断面図である。
【符号の説明】
１  ケーシング
２  破砕室
３  固定刃
４  回転板
５  回転刃
６  回転軸
７  スイングハンマー
８  取付ピン
９  嵌合孔
１０  かしめ部
１１  取付プレート
１２  取付孔
１３  切欠溝
７１  ハンマー部
７２  取付部
７１１  切欠部
７２１  延長部
７２２  ピン孔
【図１】
2004243241.tif 000003
【図２】
2004243241.tif 000004
【図３】
2004243241.tif 000005
【図４】
2004243241.tif 000006
【図５】
2004243241.tif 000007
【図６】
2004243241.tif 000008